【手続補正書】
【提出日】平成29年6月15日(2017.6.15)
【手続補正１】
【補正対象書類名】特許請求の範囲
【補正対象項目名】請求項１７
【補正方法】変更
【補正の内容】
【請求項１７】
前記色抽出部は、低解像度化処理前の前記原稿画像データ、前記目標印刷物読取画像データ、及び前記印刷物読取画像データから色情報を取得する第１の色抽出部と、
低解像度化処理後の前記原稿画像データ、前記目標印刷物読取画像データ、及び前記印刷物読取画像データから色情報を取得する第２の色抽出部と、
を備え、
前記色変換テーブル作成部は、前記第１の色抽出部により取得した色情報を基に特定される前記第１の色情報間対応関係と、前記第２の色抽出部により取得した色情報を基に特定される前記第２の色情報間対応関係と、を用いて多次元の対応関係を示す色変換テーブルを作成する請求項１６に記載の色変換テーブル作成装置。
【手続補正２】
【補正対象書類名】特許請求の範囲
【補正対象項目名】請求項１９
【補正方法】変更
【補正の内容】
【請求項１９】
前記色抽出部は、低解像度化処理前の前記原稿画像データ、前記目標印刷物読取画像データ、及び前記印刷物読取画像データから色情報を取得する第１の色抽出部と、
低解像度化処理後の前記原稿画像データ、前記目標印刷物読取画像データ、及び前記印刷物読取画像データから色情報を取得する第２の色抽出部と、
を備え、
前記色変換テーブル作成部は、前記第１の色抽出部により取得した色情報を基に特定される前記第４の色情報間対応関係と、前記第２の色抽出部により取得した色情報を基に特定される前記第５の色情報間対応関係と、を用いて多次元の対応関係を示す色変換テーブルを作成する請求項１８に記載の色変換テーブル作成装置。
【手続補正３】
【補正対象書類名】特許請求の範囲
【補正対象項目名】請求項２０
【補正方法】変更
【補正の内容】
【請求項２０】
前記色変換テーブル作成部は、複数の目標印刷物と各目標印刷物に対応した原稿画像データとを基に、それぞれ作成された複数の対応関係から、単一の多次元の対応関係を示す色変換テーブルを作成する請求項１から１９のいずれか一項に記載の色変換テーブル作成装置。
【手続補正４】
【補正対象書類名】特許請求の範囲
【補正対象項目名】請求項２９
【補正方法】変更
【補正の内容】
【請求項２９】
デバイス依存色空間である第３の色空間の信号値で表される前記原稿画像データと前記画像対応付け部及び前記第１の色変換部による処理を経て得られる前記目標印刷物の読取画像の色度値との対応関係に基づいて、前記原稿画像データの前記第３の色空間と前記第２の色空間との多次元の対応関係を表す第２の色変換テーブルを作成する第３の色変換テーブル作成部を備え、
前記第３の色変換テーブル作成部により作成した前記第２の色変換テーブルを、前記第２の色変換部の入力色変換テーブルとして使用する請求項１から２８のいずれか一項に記載の色変換テーブル作成装置。
【手続補正５】
【補正対象書類名】明細書
【補正対象項目名】００５２
【補正方法】変更
【補正の内容】
【００５２】
第２９態様として、第１態様から第２８態様のいずれか一態様に記載の色変換テーブル作成装置において、デバイス依存色空間である第３の色空間の信号値で表される原稿画像データと画像対応付け部及び第１の色変換部による処理を経て得られる目標印刷物の読取画像の色度値との対応関係に基づいて、原稿画像データの第３の色空間と第２の色空間との多次元の対応関係を表す第２の色変換テーブルを作成する第３の色変換テーブル作成部を備え、第３の色変換テーブル作成部により作成した第２の色変換テーブルを、第２の色変換部の入力色変換テーブルとして使用する構成とすることができる。
【手続補正６】
【補正対象書類名】明細書
【補正対象項目名】００８９
【補正方法】変更
【補正の内容】
【００８９】
プリンタという用語は、印刷装置、画像記録装置、画像形成装置、又は画像出力装置などの用語と同義のものとして理解される。色材には、印刷部１６の種類に応じて、インクやトナー等を使用することができる。
【手続補正７】
【補正対象書類名】明細書
【補正対象項目名】００９５
【補正方法】変更
【補正の内容】
【００９５】
画像編集装置１２は、画像データ入力部２０と、画像データ記憶部２２と、画像処理部２４と、制御部２６と、を備える。また、画像編集装置１２は、画像読取部３０と、測色器３２と、表示部３４と、入力装置３６と、を備える。画像編集装置１２は、コンピュータのハードウェアとソフトウェアの組み合わせによって実現することができる。画像編集装置１２は、ＲＩＰ装置の一機能として実現することができる。
【手続補正８】
【補正対象書類名】明細書
【補正対象項目名】０１０２
【補正方法】変更
【補正の内容】
【０１０２】
なお、ＣＭＹＫ信号はシアン、マゼンタ、イエロー、及びブラックの色を用いて表されるカラー画像信号である。ＲＧＢ信号はレッド、グリーン、及びブルーの色を用いて表されるカラー画像信号である。
【手続補正９】
【補正対象書類名】明細書
【補正対象項目名】０１０８
【補正方法】変更
【補正の内容】
【０１０８】
また、本実施形態に示す印刷システム１０は、画像読取部３０による読取画像の色情報の精度を高めるために、測色器３２を備えてもよい。測色器３２は測色部に相当する。測色器３２には分光測色器が用いられる。分光測色器は、可視光の波長領域を所定の波長刻み幅で反射率を測定し、人間の視覚の分光感度を表すＸＹＺ等色関数を用いてＸＹＺ値を算出して測色値を取得する。測色器３２として用いられる分光測色器は、例えば、可視光の波長領域である３８０ナノメートル以上７３０ナノメートル以下の波長領域を１０ナノメートルの波長刻み幅で反射率を測定し、測色値を得る。波長刻み幅は波長ステップと呼ばれる場合がある。測色器３２から得られるＸＹＺ値は、公知の変換式により、Ｌ＊ａ＊ｂ＊表色系などのデバイス非依存色空間の色座標値に変換することができる。
【手続補正１０】
【補正対象書類名】明細書
【補正対象項目名】０１１２
【補正方法】変更
【補正の内容】
【０１１２】
測色器３２から得られる測色値の情報は画像処理部２４に送られる。測色器３２を備える態様では、画像処理部２４は、画像読取部３０から得られる読取画像データの他、測色器３２から取得される測色値の情報も加味して色変換テーブルを作成することができる。
【手続補正１１】
【補正対象書類名】明細書
【補正対象項目名】０１１５
【補正方法】変更
【補正の内容】
【０１１５】
＜第１実施形態に係る色変換テーブル作成装置の構成＞
図２は第１実施形態に係る色変換テーブル作成装置が適用される印刷システム１０の全体概要を示したブロック図である。図２中、図１で説明した要素と同一の要素には同一の符号を付した。なお、本実施形態では図１に示した測色器３２が省略された構成について説明する。
【手続補正１２】
【補正対象書類名】明細書
【補正対象項目名】０１４９
【補正方法】変更
【補正の内容】
【０１４９】
図１に示した測色器３２を備える態様では、測色器３２によって測色値が得られる測色位置と原稿画像データ４０における位置と対応付けの処理を行う測色位置対応付け部と、測色器３２から得られる測色値を用いて、図２に示した読取色変換テーブル６８を補正する第１のプロファイル補正部と、を備える。第１のプロファイル補正部に代えて、又は加えて、第１の色変換部６４による色変換後のＬａｂ画像の色度値を直接修正する色度値置換部を備える構成も可能である。
【手続補正１３】
【補正対象書類名】明細書
【補正対象項目名】０１６６
【補正方法】変更
【補正の内容】
【０１６６】
第１のデータセットを優先した論理和条件は、第１のデータセットと第２のデータセットとの間で共通するＣＭＹＫ値が存在した場合に第１のデータセットのＬａｂ値を採用する条件である。第１のデータセットと第２のデータセットとの間でＣＭＹＫ値が共通する態様が好ましいが、例えば、８ビットのデジタル値で表されるＣＭＹＫ値において、２デジタル値（プラスマイナス１デジタル値）の誤差を含むＣＭＹＫ値は、共通するＣＭＹＫ値に含むものとすることができる。
【手続補正１４】
【補正対象書類名】明細書
【補正対象項目名】０４８１
【補正方法】変更
【補正の内容】
【０４８１】
また、着目領域の設定に際し、原稿画像データと読取画像データの位置合わせ精度が低い場合には、着目領域を大きい面積に設定することが好ましい。例えば、位置合わせ精度が低い場合には、着目領域を一辺が４ミリメートルの正方形に設定し、比較的大きな着目領域内で一様な領域のみを抽出する。
【手続補正１５】
【補正対象書類名】明細書
【補正対象項目名】０５８２
【補正方法】変更
【補正の内容】
【０５８２】
また、図３５の印刷システム３１０における印刷装置１８は、印刷物５０を読み取る第２の画像読取部としてのインラインセンサ３０Ｂを備えている。第２の画像読取部として機能するインラインセンサ３０Ｂは、印刷装置１８に組み込まれた、印刷装置内蔵型の画像読取装置である。例えば、印刷装置１８は、用紙搬送経路に画像読取用の撮像ユニットであるラインセンサが設置され、画像形成後の印刷物を搬送しながらラインセンサによって印刷画像を読み取る構成となっている。本例のインラインセンサ３０Ｂは、印刷装置１８の用紙搬送経路に設置される画像読取用のラインセンサである。すなわち、インラインセンサ３０Ｂは、用紙搬送方向と直交する紙幅方向について用紙上の紙幅分の画像を一度に、すなわち、一回の紙送りで読み取ることができる光電変換素子列である読取画素列を有しており、用紙搬送経路に設置される。なお、「インラインセンサ」という用語は、インラインスキャナと呼ばれる場合がある。